(57)【特許請求の範囲】
【請求項１】
被検眼の眼底をステレオ撮像する撮像装置であって、
撮像手段による１回の撮像でカラー画像とレッドフリー画像を生成するモードが有効であるか又は無効であるかを判定する判定手段と、
前記判定手段により前記モードが有効であると判定された場合に、前記撮像手段による１回の撮像からカラー画像とレッドフリー画像を生成する生成手段と、
前記撮像手段により撮像された２つの画像をステレオ画像としてペア登録する登録手段と、を備え、
前記登録手段には、前記撮像手段による２回の撮像に基づき生成された２つのカラー画像がペア登録されることを特徴とする撮像装置。
【請求項２】
被検眼の眼底をステレオ撮像する撮像装置であって、
撮像手段による１回の撮像で複数の画像を生成するモードが有効であるか又は無効であるかを判定する判定手段と、
前記判定手段により前記モードが有効であると判定された場合に、前記撮像手段による１回の撮像から複数の画像を生成する生成手段と、
前記撮像手段により撮像された２つの画像をステレオ画像としてペア登録する登録手段と、を備え、
前記判定手段により前記モードが有効であると判定された場合であって、前記登録手段のための撮像を開始する場合には、前記モードを無効に設定してから前記撮像手段による撮像を開始することを特徴とする撮像装置。
【請求項３】
前記モードを無効に設定した場合であって、前記登録手段により前記撮像手段により撮像された２つの画像がステレオ画像としてペア登録された後に、前記モードを有効に設定することを特徴とする請求項２に記載の撮像装置。
【請求項４】
被検眼の眼底をステレオ撮像する撮像方法であって、
判定手段が、撮像工程による１回の撮像でカラー画像とレッドフリー画像を生成するモードが有効であるか又は無効であるかを判定する判定工程と、
生成手段が、前記判定工程により前記モードが有効であると判定された場合に、前記撮像工程による１回の撮像からカラー画像とレッドフリー画像を生成する生成工程と、
登録手段が、前記撮像工程により撮像された２つの画像をステレオ画像としてペア登録する登録工程と、を備え、
前記登録工程において、前記撮像工程による２回の撮像に基づき生成された２つのカラー画像がペア登録されることを特徴とする撮像方法。
【請求項５】
被検眼の眼底をパノラマ撮像する撮像装置であって、
撮像手段による１回の撮像で複数の画像を生成するモードが有効であるか又は無効であるかを判定する判定手段と、
前記判定手段により前記モードが有効であると判定された場合に、前記撮像手段による１回の撮像から複数の画像を生成する生成手段と、
前記撮像手段により撮像された複数の画像をパノラマ画像として登録する登録手段と、を備え、
前記判定手段により前記モードが有効であると判定された場合は、前記登録手段のための前記撮像手段による撮像を禁止することを特徴とする撮像装置。
【請求項６】
被検眼の眼底をパノラマ撮像する撮像装置であって、
撮像手段による１回の撮像で複数の画像を生成するモードが有効であるか又は無効であるかを判定する判定手段と、
前記判定手段により前記モードが有効であると判定された場合に、前記撮像手段による１回の撮像から複数の画像を生成する生成手段と、
前記撮像手段により撮像された複数の画像をパノラマ画像として登録する登録手段と、を備え、
前記判定手段により前記モードが有効であると判定された場合であって、前記登録手段のための撮像を開始する場合には、前記モードを無効に設定してから前記撮像手段による撮像を開始することを特徴とする撮像装置。
【請求項７】
前記モードを無効に設定した場合であって、前記登録手段により前記撮像手段により撮像された複数の画像がパノラマ画像として登録された後に、前記モードを有効に設定することを特徴とする請求項６に記載の撮像装置。
【請求項８】
被検眼の眼底をパノラマ撮像する撮像方法であって、
判定手段が、撮像工程による１回の撮像で複数の画像を生成するモードが有効であるか又は無効であるかを判定する判定工程と、
生成手段が、前記判定工程により前記モードが有効であると判定された場合に、前記撮像工程による１回の撮像から複数の画像を生成する生成工程と、
登録手段が、前記撮像工程により撮像された複数の画像をパノラマ画像として登録する登録工程と、を備え、
前記判定工程により前記モードが有効であると判定された場合は、前記登録工程のための前記撮像工程による撮像を禁止することを特徴とする撮像方法。
【請求項９】
請求項４又は８に記載の撮像方法をコンピュータに実行させるためのプログラム。
【発明の詳細な説明】
【技術分野】
【０００１】
本発明は撮像装置、撮像方法、及びプログラムに関する。特に眼科医院などにおいて用いられる被検眼像を撮影可能な眼底カメラなどの撮像装置、撮像方法、及びプログラムに関する。
【背景技術】
【０００２】
従来から眼底カメラでは、眼底カメラと被検眼の相対位置を変化させて被検眼を種々の位置から撮影するステレオ撮像やパノラマ撮像が行われている。まず、ステレオ画像を撮影するには、ステレオ画像撮影機能を持った眼科撮影装置を用いて撮影する手法以外にも、ユーザが手動で左右に順次に偏心して２枚の眼底画像を撮影し、それらをペア登録する手法が知られている（特許文献１参照）。また、パノラマ撮像は、ユーザが手動で中央、中央右、右上、といった具合に撮影位置を変えながら複数の眼底画像を撮影し、それらをセットで保存しておいて、読影時に手動または自動でパノラマ画像を作成する手法が知られている。
【０００３】
一方、従来から１回の撮影で複数の画像を生成することで患者負担を軽減しつつ診断に有効な画像を得る手法が知られている（特許文献２参照）。
【先行技術文献】
【特許文献】
【０００４】
【特許文献１】特開平１０−２４８８１１号公報
【特許文献２】特開２００３−５２６３９号公報
【発明の概要】
【発明が解決しようとする課題】
【０００５】
しかしながら、１回の撮影で複数の画像を生成する機能が有効の状態で、ステレオ画像を得るためにユーザが手動で順次に偏心して撮影しそれらを一対で保存すると、視差のない２枚をペア登録してしまい、読影時に立体視できない可能性があるという課題がある。また、同じ状態でパノラマ撮像を行うと、医師が読影時にパノラマ画像の作成を行う際に、セットで保存した画像を用いて正しいパノラマ画像を作成できないことがあるという課題がある。
【０００６】
上記の課題に鑑み、本発明は、正しいステレオ画像及びパノラマ画像を撮影し登録することができる眼科撮影装置を提供することを目的とする。
【課題を解決するための手段】
【０００７】
上記の目的を達成する本発明に係る撮像装置は、
被検眼の眼底をステレオ撮像する撮像装置であって、
撮像手段による１回の撮像でカラー画像とレッドフリー画像を生成するモードが有効であるか又は無効であるかを判定する判定手段と、
前記判定手段により前記モードが有効であると判定された場合に、前記撮像手段による１回の撮像からカラー画像とレッドフリー画像を生成する生成手段と、
前記撮像手段により撮像された２つの画像をステレオ画像としてペア登録する登録手段と、を備え、
前記登録手段には、前記撮像手段による２回の撮像に基づき生成された２つのカラー画像がペア登録されることを特徴とする。
【発明の効果】
【０００８】
本発明によれば、１回の撮影で複数の画像を生成する機能が有効の状態で、ステレオ撮像及びパノラマ撮像を行う際に、正しいステレオ画像およびパノラマ画像を撮影し登録することができる。よって、医師が読影をする際の混乱を防ぐことができる。
【図面の簡単な説明】
【０００９】
【図１】撮像装置の機能構成図。
【図２】第１実施形態に係るステレオ撮像手順を示すフローチャート。
【図３】第１実施形態に係るステレオ撮像時の観察画像表示用モニタの表示を示す図。
【図４】第１実施形態に係るステレオ撮像時の撮影画像表示用モニタの表示を示す図。
【図５】第２実施形態に係るステレオ撮像手順を示すフローチャート。
【図６】第３実施形態に係るステレオ撮像手順を示すフローチャート。
【図７】第４実施形態に係るステレオ撮像手順を示すフローチャート。
【図８】第３実施形態に係るステレオ撮像時の撮影画像表示用モニタの表示を示す図。
【発明を実施するための形態】
【００１０】
（第１実施形態）
図１を参照して、本発明の眼底撮像装置の機能構成図について説明する。眼底照明用光源１０１は、ハロゲンランプやストロボ等の光源である。対物レンズ１０２は、眼底照明用光源１０１から被検眼Ｅに対向する対物レンズである。対物レンズ１０２に至る光路上には、レンズ１０３と、被検眼Ｅの前眼部と共役な孔あきミラー１０４とが配置されている。また、孔あきミラー１０４の後方の光路１００上には、結像レンズ１０５と、撮像部１０６とが配置されている。また、孔あきミラー１０４の孔部の近傍には、一対の位置合わせ用のＬＥＤ光源１０７Ｌ、１０７Ｒ、及び光ファイバ１０８Ｌ、１０８Ｒが配置されている。光ファイバ１０８Ｌ、１０８Ｒの先端部は、孔あきミラー１０４の開口部の光路１００の両側に紙面に垂直に配置され、２個の二次光源となっている。撮像部１０６の出力は、メモリ１１０、観察画像表示用モニタ１１１、及び撮影画像表示用モニタ１１２に接続されている。画像生成部１０９はメモリ１１０と画像生成モード設定部１１４とに接続されている。また、画像生成部１０９の出力は記憶部１１３に接続されている。
【００１１】
眼底照明用光源１０１からの光束はレンズ１０３、孔あきミラー１０４、及び対物レンズ１０２を通り、被検眼Ｅの眼底Ｒを照明する。そして、眼底Ｒからの反射光は対物レンズ１０２、孔あきミラー１０４、及び結像レンズ１０５を通り、撮像部１０６の撮像素子に眼底像Ｒ’として結像する。撮像部１０６は、観察位置合わせ時にはハロゲンランプ等で照明されて、動画の眼底像Ｒ’を観察画像表示用モニタ１１１に表示する。
【００１２】
ストロボによる撮影も同じ撮像部１０６が使用される。撮影された静止画（撮像画像）の眼底像Ｒ’は直ちに撮影画像表示用モニタ１１２に表示されるため、検者は良好に撮れたかどうかを短時間で確認することができる。
【００１３】
撮像部１０６は、左右眼情報、撮影光量などの撮像情報と、撮影された眼底像Ｒ’とをメモリ１１０へ出力する。画像と撮像情報は関連付けられて記憶部１１３に保存される。画像生成モード設定部１１４は、１回の撮影で複数の画像を生成する「有効」の設定、又は生成しない「無効」の設定が可能である。有効の設定では、画像を生成する生成枚数や生成する際に使用する画像処理を設定する。設定が有効の場合は、画像生成部１０９はメモリ１１０から読み出された画像に対して設定された画像処理を行い、設定された枚数の画像を生成して、記憶部１１３に画像を保存する。
【００１４】
上述の構成は１つの撮像部で観察と撮影を行う方式であるが、観察と撮影について別々に撮像部を設けてもよい。観察は光学ファインダで行ってもよい。また、１つの撮像部の出力に対して画像処理で複数の画像を生成する構成を示したが、複数個の撮像部を用いて１回の撮影で複数の画像を生成する構成であってもよい。
【００１５】
このような構成において、ステレオ撮像及びパノラマ撮像を行って撮影した画像を記憶する際の流れについて以下説明する。
【００１６】
図２を参照して、第１実施形態に係るステレオ撮像を行う手順のフローチャートについて説明する。ステップＳ２０１において、不図示のステレオ撮像開始ボタンを押下する。ステップＳ２０２において、画像生成モード設定部１４の設定を確認する。すなわち、１回の撮影で複数の画像を生成するモードが有効か否かを判定する。有効の場合は（ステップＳ２０２；ＹＥＳ）、ステップＳ２０３へ進む。ステップＳ２０３において、ステレオ撮像開始を禁止する処理を行う。この時、ステレオ撮像が禁止された理由を検者に提示してもよい。そして、ステレオ開始前の状態に戻る。一方、画像生成モードが無効の場合は（ステップＳ２０２；ＮＯ）、ステップＳ２０４へ進む。ステップＳ２０４において、ステレオ撮像を開始する。ステップＳ２０５において、ステレオ画像の１枚目を撮影する。ステップＳ２０６において、ステレオ画像の２枚目を撮影する。ステップＳ２０７において、ステレオ画像撮影を終了する。ステップＳ２０８において、撮影された画像を相互にステレオ画像としてペア登録する。そして、その後リターンする。
【００１７】
次にステップＳ２０４からステップＳ２０８のステレオ撮影方法について詳しく説明する。ＬＥＤ光源１０７Ｌ、１０７Ｒからの光束は、それぞれ光ファイバ１０８Ｌ、１０８Ｒを通り、孔あきミラー１０４の開口部の光路１００の両側に位置する端部面に導かれる。そして、二次光源として対物レンズ１０２を介して被検眼Ｅの角膜に投影される。そして、これらの二次光源による角膜反射像１０７Ｌ’、１０７Ｒ’は、図３に示すように観察画像表示用モニタ１１１上に、眼底像Ｒ’と共に表示される。観察画像表示用モニタ１１１には、アライメントマークＡとステレオ撮像範囲を示す枠線Ｓが表示され、ステレオ撮像を開始するとＬＥＤ光源１０７Ｒが点滅し、光ファイバ１０８Ｒによる角膜反射像１０７Ｒ’も点滅する。不図示のジョイスティック等を用いて撮像装置を左右方向にずらし、点滅している方の角膜反射像１０７Ｒ’をアライメントマークＡに合わせた後に、不図示の撮影スイッチを押下してストロボ光源による撮影を行う。撮影された画像情報は一旦メモリ１１０に記憶される。そして、図４に示すように撮影画像表示用モニタ１１２の右側に静止画像ＲＲ’として表示され、検者はステレオ撮像モードで良く撮れていることを確認することができる。
【００１８】
撮影画像表示用モニタ１１２には、図４に示すようにステレオ撮像画像を確認するための画面が表示され、ステレオ撮像開始時は撮影側指示表示４２１が右側に表示されている。
【００１９】
ステップＳ２０５において、右方向の撮影が終了すると、撮影画像表示用モニタ１１２の右側に静止画ＲＲ’が表示されると同時に、撮影側指示表示４２１が左側に遷移するそして、これに合わせて今度はＬＥＤ光源１０７Ｌが点滅する。ステップＳ２０６において、点滅している方の角膜反射像１０７Ｌ’をアライメントマークＡに合わせて撮影すると、撮影画像表示用モニタ１１２には左右画像ＲＬ’、ＲＲ’が表示される。撮影結果が良ければ、ステップＳ２０７において、ステレオ撮像終了ボタン４２３を押下する。そしてステップＳ２０８において、両画像ＲＬ’、ＲＲ’はステレオ画像として記憶部１１３に保存される。撮影結果が良くなければ、検者は撮影画像表示用モニタ１１２上の撮影側指示表示４２１をマウスなどの撮影側指示部４２２を用いて再撮影したい側に移動する。そして、再度撮影を行う。
【００２０】
位置合わせ用ＬＥＤ光源１０７Ｌ、１０７Ｒは、使用しない方の光源を消して、使用する方の光源を連続又は点滅させて点灯するようにしてもよい。一方を点滅又は消灯すれば、ステレオ撮像時に左右を間違え難くなるという効果がある。
【００２１】
（第２実施形態）
図５を参照して、第２実施形態に係るステレオ撮像を行う手順のフローチャートについて説明する。ステップＳ５０１において、不図示のステレオ撮像開始ボタンを押下する。そして、ステップＳ５０２において、画像生成モード設定部１１４の設定を記憶部１１３に保存する。ステップＳ５０３において、画像生成モードが有効であるか否か判定する。有効である場合は（ステップＳ５０３；ＹＥＳ）、ステップＳ５０４へ進む。ステップＳ５０４において、画像生成モードを無効にしてステップＳ５０５へ進む。この時、１回の撮影で複数の画像を生成するモードが無効になったことを検者に提示してもよい。一方、無効である場合は（ステップＳ５０３；ＮＯ）、直接ステップＳ５０５へ進む。
【００２２】
ステップＳ５０６において、１枚目のステレオ画像を撮影する。そして、ステップＳ５０７において、２枚目のステレオ画像を撮影する。２枚目のステレオ画像を撮影したら、撮影された画像を撮影画像表示用モニタ１１２により検者が確認する。撮影結果が良ければ、ステップＳ５０８において、検者はステレオ撮像終了ボタン４２３を押下してステレオ撮像モードを終了する。ステップＳ５０９において、撮影画像表示用モニタ１１２上に表示されていた画像がステレオ画像として記憶部１１３に保存される。ステップＳ５１０において、記憶部１１３からステレオ撮像開始前の画像生成モードの設定を読み出す。そして、画像生成モードが有効である場合は（ステップＳ５１０；ＹＥＳ）、ステップＳ５１１に進む。ステップＳ５１１において、現在の画像生成モードの設定を有効にしてリターンする。一方、画像生成モードが無効である場合は（ステップＳ５１０；ＮＯ）、リターンする。
【００２３】
（第３実施形態）
図６を参照して、第３実施形態に係るステレオ撮像を行う手順のフローチャートについて説明する。ステップＳ６０１において、不図示のステレオ撮像開始ボタンを押下する。ステップＳ６０２において、ステレオ撮像を開始する。ステップＳ６０３において、不図示のジョイスティックを用いて撮像装置を左方向にずらし、点滅している方の角膜反射像１０７Ｒ’をアライメントマークＡに合わせる。その後、不図示の撮影スイッチを押下してストロボ光源による撮影を行う。撮影された映像信号は一旦メモリ１１０に記憶される。そして、撮影画像表示用モニタ１１２上に表示されるため、検者はステレオ撮像モードで良く撮れていることを確認できる。なお、ステップ６０１及びステップ６０２の間に、図２又は図５を参照して説明した判定処理を行ってもよい。
【００２４】
画像生成モード設定部１１４で、例えば１回の撮影操作でカラー画像とデジタルレッドフリー画像の合計２枚を生成する設定が有効の場合は、画像生成部１０９はメモリ１１０からステップＳ６０４で記憶されたカラー画像を読み出して指定された画像処理を行う。画像処理を行いデジタルレッドフリー画像（生成画像）を生成したら、記憶部１１３に保存する。カラー画像に画像処理を行って生成したデジタルレッドフリー画像（生成画像）を記憶部１１３に保存する。
【００２５】
次にステップＳ６０４において、左方向からの撮影を行い、撮影結果が良ければ、ステップＳ６０５において、ステレオ撮像終了ボタン４２３を押下してステレオ撮像を終了する。ステレオ撮像を終了したら、撮影された４枚の画像の中からカラー画像のみをステレオ画像としてペア登録する。カラー画像のみステレオ画像として登録する理由は、カラー画像が保存されていれば、読影する際に必要に応じて画像生成部１０９によりデジタルレッドフリー画像を手動で生成できるからである。
【００２６】
まず、ステップＳ６０６において撮影された４枚の画像の１組以上がステレオ画像として登録されているか否かを判定する。登録されていない場合は（ステップＳ６０６；ＮＯ）、ステップＳ６０７へ進む。ステップＳ６０７において、撮影された４枚の画像から任意の画像ＲＦＬを選択する。ステップＳ６０８において、画像に関連付けられている撮像情報から、選択された画像ＲＦＬがカラー画像であるか否かを判定する。カラー画像である場合は（ステップＳ６０８；ＹＥＳ）、ステップＳ６０９に進む。カラー画像でない場合は（ステップＳ６０８；ＮＯ）、ステップＳ６０７に戻る。次に、ステップＳ６０７において、画像ＣＬが選択されたとする。ステップＳ６０８において、ステップＳ６０７で選択された画像ＣＬが今度はカラー画像である場合は（ステップＳ６０８；ＹＥＳ）、ステップＳ６０９において画像ＲＦＲを選択する。そして、ステップＳ６１０において、画像ＣＬと画像ＲＦＲがステレオ成立条件を満たしているか否かを判定する。
【００２７】
ここでステレオ成立条件を満たすか否かは、撮像情報により２つの画像がステレオ画像として成立するか否かとして判断される。撮像情報は、例えば撮像装置により撮像した際のその撮像装置の位置を示す情報、撮像した眼底が右目又は左目であるかを示す情報、画像がカラー画像であるかデジタルレッドフリー画像であるか等画像の種類を示す情報等である。２つの画像の視差の程度を撮像装置の位置を示す情報から判断できるため、撮像位置を示す情報によりステレオ画像として２つの画像が成立するか否かを判断できる。さらに、左目の画像と右目の画像とをペア登録してしまうことを避けるために眼底がどちらの目であるかを判断できるようにしてもよい。また、画像の種類が同じもの、例えばカラー画像同士、デジタルレッドフリー画像同士等でなければペア登録できないため、複数の種類の画像を生成するモードが有効である場合には画像の種類を示す情報も必要となる。同じ目（例えば、左目）のみ撮像しており、１回の撮像で複数の種類の画像が生成されることがなければ、撮像装置の位置を示す情報のみ撮像情報としてステレオ画像として２つの画像が成立するか否かを判断できる。条件を満たしていない場合は（ステップＳ６１０；ＮＯ）、ステップＳ６０９に戻る。そして、ステップＳ６０９において、次は画像ＣＲを選択する。その後再びステップＳ６１０において、ステレオ成立条件を判定する。画像ＣＬと画像ＣＲが条件を満たしている場合（ステップＳ６１０；ＹＥＳ）、ステップＳ６１１へ進む。そしてステレオ画像として記憶部１１３に保存する。ステップＳ６０６において撮影された画像は１組がステレオ画像として登録されているので、ステレオ撮像で少なくとも１組のステレオ画像を登録することができる。
【００２８】
（第４実施形態）
図７を参照して、第４実施形態に係るステレオ撮像を行う手順のフローチャートについて説明する。ステップＳ７０１において、不図示のステレオ撮像開始ボタンを押下する。ステップＳ７０２において、ステレオ撮像を開始する。ステップＳ７０３において、撮影された画像情報は一旦メモリ１１０に記憶される。そして、撮影された画像情報は図８に示す撮影画像表示用モニタ１１２の右側上段に静止画像ＣＲＲ’として表示されるため、検者はステレオ撮像モードで良く撮れていることを確認できる。なお、ステップ７０１及びステップ７０２の間に、図２又は図５を参照して説明した判定処理を行ってもよい。
【００２９】
画像生成モード設定部１１４の設定に従って、１回の撮影でカラー画像とデジタルレッドフリー画像の合計２枚が画像生成部１０９で生成される。生成されたデジタルレッドフリー画像は記憶部１１３に保存される。そして、撮影画像表示用モニタ１１２の右側下段に静止画像ＲＲＲ’として表示されるため、検者はデジタルレッドフリー画像に対しても撮影を確認できる。
【００３０】
次に、ステップＳ７０４において、左方向からの撮影を行うと、さらに撮影画像表示用モニタ１１２の左側に画像ＣＲＬ’、ＣＲＲ’が表示される。これにより画像ＣＲＬ’、ＣＲＲ’及びＲＲＬ’、ＲＲＲ’が撮影画像表示用モニタ１１２表示される。ステップＳ２０５において、撮影結果が良ければステレオ撮像終了ボタン２３’を押下してステレオ撮像を終了する。
【００３１】
ステレオ撮像が終了したら、撮影された４枚の画像を正しいステレオ画像としてペア登録する処理を以下行う。まず、ステップＳ７０６において、撮影された４枚の画像でペア登録されていないものが存在するか否かを判定する。存在する場合は（ステップＳ７０６；ＹＥＳ）、ステップＳ７０７へ進む。ステップＳ７０７において、ペア登録されていない任意の画像から画像ＲＲＬ’を選択する。ステップＳ７０８において、ペア登録されていない任意の画像から画像ＣＲＬ’を選択する。ステップＳ７０９において、画像に関連付けられている撮像情報に基づいて画像ＲＲＬ’と画像ＣＲＬ’とがステレオ成立条件、例えば画像ＲＲＬ’と画像ＣＲＬ’の双方がカラー画像であるかなどを満たしているか否かを判定する。ステレオ成立条件を満たしていない場合は（ステップＳ７０９；ＮＯ）、ステップＳ７０８に戻る。そして同様に、例えば画像ＲＲＲ’を選択する。その後ステップＳ７０９において、再びステレオ成立条件を判定する。画像ＲＲＬ’と画像ＲＲＲ’とがステレオ成立条件を満たしている場合（ステップＳ７０９；ＹＥＳ）、ステップＳ７１０へ進む。ステップＳ７１０において、画像ＲＲＬ’と画像ＲＲＲ’をステレオ画像として記憶部１１３に保存する。その後、ステップＳ７０６に戻る。以下ステップＳ７０６から再度同じ手順を経て、左右の画像ＣＲＬ’、画像ＣＲＲ’もステレオ画像として記憶部１１３に保存する。その結果、撮影された４枚を２組のステレオ画像として登録できる。
【００３２】
本実施形態では図８に示すように眼底画像を４枚表示したが、図３に示すように任意の眼底画像の１組のみを表示してもよい。また、撮影した画像をサムネイル表示する際に、登録したペアの画像が隣り合うような順序でサムネイルを表示すると、検者は複数のステレオ画像から読影したい１組を誤りなく選択することができる。
【００３３】
（第５実施形態）
以上はステレオ撮像を選択した場合であったが、図２のステップＳ２０１、図５のステップＳ５０１、図６のステップＳ６０１、及び図７のステップＳ７０１において、不図示のパノラマ撮像ボタンを押下すると、パノラマ撮像に移行する。このパノラマ撮像は、不図示の外部固視灯の位置を移動させながらパノラマ撮像に必要な枚数の撮影を行う。そして、パノラマ画像としてセットで記憶部１１３に保存する。読影時にこれらの画像を用いてパノラマ画像を生成する。パノラマ撮像のプロセスは、ステレオ撮像では２枚であった撮影枚数が、パノラマ画像を構成するために必要な枚数へと増えてその分の撮影を行うことに相当している。よって、図２、図５、図６、及び図７のフローチャートと同様の流れとなる。
【００３４】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005629482.tif 000002
【図２】
0005629482.tif 000003
【図３】
0005629482.tif 000004
【図４】
0005629482.tif 000005
【図５】
0005629482.tif 000006
【図６】
0005629482.tif 000007
【図７】
0005629482.tif 000008
【図８】
0005629482.tif 000009